(57)【要約】  【課題】  本発明は、新陳代謝の活性化、血液や細胞の活性・還元化、血行促進、肩こり、腰痛、冷え性の改善、疲労回復、胃腸の強化、内臓疾患、水虫、アトピー、美肌効果、自律神経や脳波の安定（リラックス効果や癒し効果）、免疫力の快復或いは身体の弱アルカリ化等に極めて優れた作用を発現するマイナスイオンの発生効率を著しく高め、安定した効果を発現するマイナスイオン発生器を提供することを目的とする。  【解決手段】  マイナスイオン発生器１は、１個のマイナスイオン発生体４を配置したチューブ片を１０個用意し、これを直列に連結して長尺状で、且つ略正三角形状の水路２を形成したもので構成され、この水路２にポンプ５を介してを水を送り込み、当該水と１０個のマイナスイオン発生体４とを直接接触させることによって、多量のマイナスイオンを含む水を生成し、入浴者が水路２の吐出ノズル６を手で持ち、多量のマイナスイオンを含む水を身体の各所に噴射させたり、浴びたりするものである。【選択図】  図１
2006021032.tif 000002
【特許請求の範囲】
【請求項１】
水路中の１ないし複数箇所にマイナスイオン発生体を設置し、このマイナスイオン発生体と水とを接触させることによって、マイナスイオンを発生させることを特徴とするマイナスイオン発生器。
【請求項２】
マイナスイオン発生体が、トルマリン、レアアース鉱石、隕石、希陽石、コハク、ブラックカーボン、ガーネット、サンゴ石、トロン、珪藻土、酸化チタン、酸化亜鉛、酸化バナジウム、酸化クロム、ゲルマニウム又は金から選ばれた少なくとも１種以上である請求項１に記載のマイナスイオン発生器。
【請求項３】
水路中の１ないし複数箇所に設置された水槽中にマイナスイオン発生体を投入し、この水槽中に溜まった水とマイナスイオン発生体とを接触させる請求項１又は２に記載のマイナスイオン発生器。
【請求項４】
更に、遠赤外線放射体、磁力線発生体又は活性炭から選ばれた少なくとも１種以上がマイナスイオン発生体と共存させて設置されてなる請求項１ないし３のいずれか１項に記載のマイナスイオン発生器。
【請求項５】
更に、遠赤外線放射体、磁力線発生体又は活性炭から選ばれた少なくとも１種以上がマイナスイオン発生体と分離、独立して備えられてなる請求項１ないし３のいずれか１項に記載のマイナスイオン発生器。
【請求項６】
水路は横断面がコ字状、Ｖ字状又はＵ字状などの溝、チューブ又はパイプで形成され、この水路内の１ないし複数箇所にマイナスイオン発生体を設置し、この水路に水を通すことによってマイナスイオン発生体と水とを接触させる請求項１ないし５のいずれか１項に記載のマイナスイオン発生器。
【請求項７】
環状の水路が、平面視において、三角形状、或いは四角形状、五角形状又は六角形状などの多角形状、円形状若しくは楕円形状に形成されており、しかもこの環状の水路が、マイナスイオン発生体、遠赤外線放射体、磁力線発生体又は活性炭から選ばれた少なくともマイナスイオン発生体を収納するための１ないし複数の容器とパイプ或いはチューブとによって形成されている請求項１ないし６のいずれか１項に記載のマイナスイオン発生器。
【請求項８】
水路が形成されている水槽が家庭用或いは業務用の風呂である請求項１ないし７のいずれか１項に記載のマイナスイオン発生器。
【発明の詳細な説明】
【技術分野】
【０００１】
本発明は、主としてマイナスイオンによる新陳代謝の活性化、血液や細胞の活性・還元化、血行促進、肩こり、腰痛、冷え性の改善、疲労回復、胃腸の強化、内臓疾患、水虫、アトピー、美肌効果、自律神経や脳波の安定（リラックス効果や癒し効果）、免疫力の快復及び身体の弱アルカリ化等を実現するマイナスイオン発生器に関する。
【背景技術】
【０００２】
現在、多くの人々が、肩こり、腰痛、頸肩腕症候群、習慣性の便秘、不眠症、頭痛、頭重感、胸痛、手足の不定の痛み、背中の痛み、めまい或いは足のだるさ等の原因不明の疾患に悩まされている。
【０００３】
最近では、これらの疾患は、自律神経失調症に起因するものと考えられるようになってきており、最近のＩＴ革命によって、ＯＡ機器を導入する企業が増加し、これに伴って、コンピューターを扱う者が増えたこともひとつの要因であると考えられている。
【０００４】
即ち、慣れないＯＡ機器の操作や長時間同じ姿勢のままでの作業等によるストレスが作業者の自律神経機能のバランスを崩し、自律神経失調症の状態となり、これにより前述の種々の疾患が生じると考えられている。
【０００５】
ところが、これらの疾患は、当人には自覚症状があり、症状が一進一退していると感じていても、病院での検査では、健康常人と何ら変わることがないという検査結果となることが多く、通院治療しても一向に症状が改善することがないのがほとんどである。
【０００６】
これは、自律神経失調症がいわゆる「症候群」であり、病気と症状の間に位置するものであることから、その原因をつかむことが困難なことが大きな要因となっているのである。
【０００７】
ここで、自律神経とは、人間の神経系のひとつで、内臓の働きや血液の循環を制御する働きを司るものであり、つまり、胃や腸の働き、発汗作用、血管の伸縮作用を主として行うものである。
【０００８】
従って、自律神経失調症とは、ストレス等により自律神経に変調をきたし、内臓の働きや血液の循環がうまくいかなくなることであり、これにより肩こり等の疾患が表面に現れてくるのである。
【０００９】
ところで、最近「マイナスイオン」と呼ばれる界面活性作用を持ったイオンが、心身をリラックスさせたり、疲労回復、血圧降下などの作用を発現したりするとの研究結果が多々報告されており、前述の自律神経失調症に起因する疾患に対する有効な治療手段として、このマイナスイオンを人工的に発生させるマイナスイオン発生装置等やトルマリン等のマイナスイオン発生体を利用した製品が種々開発されている（例えば、特許文献１・２）。
【００１０】
【特許文献１】特開２００２−２６４２７７号公報
【特許文献２】特開２００３−２９３２６３号公報
【００１１】
しかしながら、マイナスイオンを人工的に発生させるマイナスイオン発生装置は高価であり、又、重く、持ち運びが困難であることから、一般家庭においての使用が制限されるものであり、一部の専門的な機関でのみ使用されているのが現状である。
【００１２】
一方、トルマリン等のマイナスイオン発生体を利用した製品は、安価で且つ取り扱いが簡便であることから人気があり、腕輪やネックレス等の製品として市場にも多く出回っている。
【００１３】
このトルマリンは電気石とも呼ばれ、細かく粉砕しても自発的に結晶の両極に＋極と−極が存在し、このトルマリンの微弱電流が空気中の水分や人体の細胞に含まれる水分に流れることによって、当該水分がマイナスイオンと呼ばれる界面活性作用を持ったイオンに変化する結果、このマイナスイオンが神経系統への刺激となり視床下部の機能（体温調節・ホルモン分泌・自律神経の調整）を高めて免疫力や自然治癒の機能を活性化させ、洗浄効果、消臭効果及び除菌効果が得られるのである。
【００１４】
又、トルマリンは、熱を吸収して遠赤外線を照射する機能も有しており、この遠赤外線の照射により人体の血液循環が促進され新陳代謝が促進されたりするのである。
【００１５】
このようなトルマリンの発現する遠赤外線照射機能とマイナスイオン効果は、新陳代謝の活性化、血液や細胞の活性・還元化、血行促進、肩こり、腰痛、冷え性の改善、疲労回復、胃腸の強化、内臓疾患、水虫、アトピー、美肌効果、自律神経や脳波の安定（リラックス効果や癒し効果）、免疫力の快復或いは身体の弱アルカリ化等に極めて優れた作用を発現するといわれている。
【発明の開示】
【発明が解決しようとする課題】
【００１６】
しかしながら、このようにトルマリンが非常に優れた作用を有することが多く報告されているにもかかわらず、現実に、トルマリンを腕輪やネックレス等に加工した製品にあっては、効果にバラツキがあったり、所望の効果が得られなかったりすることが殆どである。
【００１７】
この問題は、マイナスイオン発生体としてトルマリンを用いた場合に限らず、レアアース鉱石や希陽石等のマイナスイオン発生体を用いた場合にあっても同様の結果となっている。
【００１８】
そこで、本発明者がこの問題について検討したところ、マイナスイオン発生体におけるマイナスイオンの発生効率は、空気中の水分量（湿度）によって大きく影響されていることが確認されたのである。
【００１９】
即ち、前述したように、マイナスイオンは、空気中の水分や人体の細胞に含まれる水分がマイナスイオン発生体により界面活性作用を持ったイオンに変化したものであり、従って、当該マイナスイオン発生体の周辺に存在する水分の多少により、マイナスイオンの発生効率にバラツキが生じるのである。
【００２０】
そこで本発明者は、上記技術的課題を解決し、マイナスイオン発生体のマイナスイオンの発生効率を向上させるため鋭意検討を重ねた結果、水路中の１ないし複数箇所にマイナスイオン発生体を設置し、当該マイナスイオン発生体と水とを接触させることによって、空気中の水分量の変化に拘わらず、マイナスイオンの発生効率が著しく向上するとの知見を得たのである。
【００２１】
即ち、本発明者は、継続的にマイナスイオン発生体に水を接触させると、当該マイナスイオン発生体の近傍に常に一定の水分が存在するので、安定した量のマイナスイオンを常に発生させることができるとの知見を得たのである。
【００２２】
又、本発明者は、水槽に水流を発生させることによって身体に水圧や波動水（波）を作用させて皮膚刺激に起因するマッサージ効果や癒し効果を発生させたり、血行促進に伴う新陳代謝の改善を行ったり、皮膚の汚れを除去させ易くするなどの効果が得られるとの知見を得た。
【００２３】
本発明は、前記知見に基づき完成されたものであり、即ち、新陳代謝の活性化、血液や細胞の活性・還元化、血行促進、肩こり、腰痛、冷え性の改善、疲労回復、胃腸の強化、内臓疾患、水虫、アトピー、美肌効果、自律神経や脳波の安定（リラックス効果や癒し効果）、免疫力の快復或いは身体の弱アルカリ化等に極めて優れた作用を発現するマイナスイオンの発生効率を高め、安定した効果を付与するマイナスイオン発生器を提供することを目的とする。
【課題を解決するための手段】
【００２４】
この目的を達成するために、本発明のマイナスイオン発生器は、水路中の１ないし複数箇所にマイナスイオン発生体を設置し、機能性物質と水とを接触させることによって、マイナスイオンを発生させることを特徴とするものである。
【００２５】
即ち、前記したように、継続的にマイナスイオン発生体を水と接触させると、マイナスイオン発生体の近傍に常に一定の水分が存在することとなり、安定した量のマイナスイオンを発生させることができるのである。
【００２６】
又、本発明においては、水路中の水を静止させることによりマイナスイオン発生体と当該水を接触させることによって、この水に多量のマイナスイオンを含ませ、この水を汲み上げて当該汲み上げた水を肩や腰或いは全身（頭部も含む。）に当てるようにしても良いのである。
【００２７】
更に、本発明においては、水路中に水流を発生させることによって肩や腰或いは全身（頭部も含む。）に水圧や波動水を作用させても良いのである。この場合、この水流は右回り或いは左回りのいずれでも良く、この水流によって発生した水圧や波動水を肩や腰或いは全身（頭部も含む。）に当てるようにしても良いのである。
以下、本発明のマイナスイオン発生器を詳細に説明する。
【００２８】
本発明のマイナスイオン発生器は、水路中にマイナスイオン発生体を設置するものであるが、この水路としては、当該水路に沿って水が流れることができるものであれば特に限定されるものではなく、例えば、水槽内にポンプで水流を発生させるだけでも良いが、これでは水の流れに乱れやバラツキが発生する虞れが発生するので、水槽内に水の流路（水路）を形成し、この水路に水流を発生させるのが好ましい。この後者の場合には、水路から多少の水が溢れ出しても全く問題がないのであり、一般的には、断面視コの字型、Ｖ字型或いはＵ字型等の溝、特に、水をノズルから身体に向けて噴射させるように構成するために、パイプ又はチューブ等を好適に用いることが望ましいのであり、またその素材としては水や熱によって著しい強度低下を生じるものでなければ特に限定されるものではなく、木材や金属更にセラミックスなどの他、ポリエチレンやポリプロピレン等のポリオレフィン又はポリ塩化ビニル等の熱可塑性樹脂或いは熱硬化性樹脂更に天然ゴムや合成ゴムなどのゴム等の高分子材料を好適に用いることができる。
【００２９】
又、本発明において、更に詳しく、水路について説明すると、当該水路は、水路の入り口から水を流入させて、出口（吐出口）から水を噴出するように構成してもよいが、これに代えて、ポンプ等の水流発生機を用いて、前記の溝やチューブ更にパイプ等で形成した環状の水路中に単に水を循環させるだけで波動水や波動エネルギーを発生させ、これを身体に当てるだけでも良いが、特に、ポンプ等の水流発生機を用いて、前記のチューブやパイプ等で形成した環状の水路から水を身体に直接噴射させるように構成するものが、波動水や波動エネルギーを身体に当てるだけでなく、これに加えて、水流も直接身体に当てて皮膚刺激に起因するマッサージ効果や癒し効果を発生させることができるので一層望ましい。
【００３０】
本発明においては、環状の水路が、平面視において、三角形状或いは四角形状、五角形状又は六角形状などの多角形状、円形状若しくは楕円形状に形成されており、しかもこの環状の水路がマイナスイオン発生体、遠赤外線放射体、磁力線発生体又は活性炭から選ばれた少なくともマイナスイオン発生体を収納するための１ないし複数の容器とパイプ或いはチューブとによって形成されているものが好ましいのであり、しかも当該水路中に複数、特に、２個以上のマイナスイオン発生体や機能性物質などを設置するのが一層好ましく、このように構成すると、水の循環中にマイナスイオンが増加するのでその治癒効果が著しく向上するのである。この場合、人（例えば、入浴者）はこれらの環状の水路の中心に存在するのが、優れたマイナスイオン効果に加えて、波動水や波動エネルギーの影響を身体に受け易いので好ましい。特に、環状の水路を渦巻き状とし、マイナスイオン発生体を３個以上のマイナスイオン発生体や機能性物質などを設置し、しかも、人（例えば、入浴者）はこれらの環状の水路の中心に存在するのが、一層優れたマイナスイオン効果に加えて、更に優れた波動水や波動エネルギーの影響を身体に受け易いので、最も望ましいのである。
【００３１】
本発明において、マイナスイオン発生体、遠赤外線放射体、磁力線発生体又は活性炭から選ばれた少なくともマイナスイオン発生体を収納するための１ないし複数の容器としてはこれらの物質が収納できるものであれば特に限定されるものではないが、具体的には、例えば箱状、円筒状又は紡錘状等の容器が挙げられる。
【００３２】
更に、本発明において、水路中を流れる水としては、特に限定されるものではなく、水道水、蒸留水、湧き水或いは温泉水等のいずれであっても良いが、マイナスイオンの発生効率や、後述する遠赤外線放射体からの遠赤外線発生・照射効率及び使用感等を良好にするために、温度を３５〜４５℃程度に加温したものを使用することが好ましい。
【００３３】
そして、本発明においては、この水路中の１ないし複数箇所にマイナスイオン発生体を設置するものであるが、このマイナスイオン発生体とは、例えばトルマリンのように、細かく粉砕しても自発的に結晶の両極に＋極と−極が存在し、この電極に起因する微弱電流が空気中の水分や人体の細胞に含まれる水分に流れることによって、当該水分がマイナスイオンと呼ばれる界面活性作用を持ったイオンに変化するものの他、天然放射線による放射線の空中飛程での空気のイオン化によってマイナスイオンを発生させるもののことをいい、このような作用によりマイナスイオンを好適に発生するマイナスイオン発生体の好ましい例としては、トルマリン、レアアース鉱石、隕石、希陽石、コハク、ブラックカーボン、ガーネット、サンゴ石、トロン、珪藻土、酸化チタン、酸化亜鉛、酸化バナジウム、酸化クロム、ゲルマニウム又は金等から選ばれた少なくとも１種が挙げられる。
【００３４】
このうち、トルマリンは電気石とも呼ばれ、細かく粉砕しても自発的に結晶の両極に＋極と−極が存在し、このトルマリンの微弱電流が空気中の水分や人体の細胞に含まれる水分に流れることによって水分がマイナスのヒドロキシルイオンと呼ばれる界面活性作用を持ったイオンに変化する結果、神経系統への刺激となり視床下部の機能（体温調節・ホルモン分泌・自律神経の調整）を高めて免疫力や自然治癒の機能を活性化させる働きがある上、洗浄効果、消臭効果及び除菌効果が得られるのである。
【００３５】
そして、本発明においては、マイナスイオン発生体と水とを接触させることによって、空気中の水分量の変化に拘わらず、マイナスイオンの発生効率が著しく向上するのであるが、特に、トルマリンは電子を半永久的に流し続け、トルマリンの永久電極は、電気の導体である皮膚表層やツボ（良導点）の部分に生体電流と同じレベルの数十マイクロアンペアの電流を流し、この微弱電流は電流刺激としての作用を生じ、その電気分解による発生させた活性水素が人体に悪影響を与える活性酸素を除去したり、視床下部への働きを促進したり、人間の身体から放出される熱を吸収し、遠赤外線を照射して人体の血液循環が促進され新陳代謝が促進されたり、更に、トルマリンから放出されるマイナスイオンは、心身をリラックスさせたり、疲労回復、血圧降下などの効果を発現するのである。
【００３６】
一方、レアアース鉱石は、天然放射性元素であるウラン、トリウム等を極微量含む鉱石であり、又、常温においても多量の遠赤外線を放出する鉱石であり、また、レアアース鉱石からの放射エネルギーは空気中の水蒸気、酸素、窒素をイオン化によってマイナスに変化させる作用があり、その効果は前記トルマリンとほぼ同等である。
【００３７】
又、隕石はトルマリンと同等若しくはそれ以上のマイナスイオンを発生し、その結果、トルマリンと同様に隕石の微弱電流が空気中の水分や人体の細胞に含まれる水分に流れることによって水分がマイナスのヒドロキシルイオンと呼ばれる界面活性作用を持ったイオンに変化する。従って、トルマリンの場合と同等若しくはそれ以上の機能（体温調節・ホルモン分泌・自律神経の調整）や効果を発現するのである。
【００３８】
又、その他のマイナスイオン発生体もトルマリン或いはレアアース鉱石とほぼ同様の作用により、マイナスイオンを発生させることができるのである。
【００３９】
このように、トルマリンやレアアース鉱石更に隕石等のマイナスイオン発生体の有する遠赤外線効果とマイナスイオン効果によって、自律神経を正常化し、新陳代謝の活性化や血液や細胞の活性・還元化及び血行を促進し、肩こり、腰痛、頸肩腕症候群、習慣性の便秘、不眠症、頭痛、頭重感、胸痛、手足の不定の痛み、背中の痛み、めまい或いは足のだるさ等を好適に解消するのであり、遠赤外線効果とマイナスイオン効果の相乗効果は極めて優れたものとなるのである。
【００４０】
なお、本発明において前記マイナスイオン発生体を水路中に設置する方法としては、特に限定されるものではないが、一般的には、水路中に設けた容器或いはチューブやパイプの内部における１ないし複数箇所にマイナスイオン発生体を設置したり、或いは、水路中の１ないし複数箇所に設置された水槽中にマイナスイオン発生体を投入したりする方法を挙げることができる。
【００４１】
この場合、水路中における１ないし複数箇所に箱形や円筒状或いは紡錘状等の任意形状の容器を設け、この容器内にマイナスイオン発生体を設置させたり、又、この容器内に、後述する機能性物質、更にゼオライト、パーライト、バーミュキライト等の水の浄化性物質並びに岩塩や入浴剤等を、前記マイナスイオン発生体と共存させたり、或いはマイナスイオン発生体と分離、独立させて設置しても良いのである。
【００４２】
ところで、本発明のマイナスイオン発生器においては、マイナスイオン効果以外の他の効能を発現することができるように、更に、用途に応じた種々の機能性物質、例えば、遠赤外線放射体、磁力線発生体又は活性炭（ブラックカーボン）から選ばれた少なくとも１種の波動エネルギー放射体を設けるのが好ましい。このうち、活性炭は水の浄化作用を発現するので、水を水路中で循環している際に当該水の浄化が行われるのである。
【００４３】
前記遠赤外線放射体は、人体に遠赤外線を照射させて当該人体の血液循環を促進したり、新陳代謝を改善したりする効果を有するものであり、この遠赤外線放射体としては、遠赤外線領域近辺の波長範囲を有する電磁波を好適に放射する機能を有するものであれば特に限定されるものではないが、中でも遠赤外線を放射する非金属の無機質固体（遠赤外線放射セラミック）が好ましく、具体的には、金属の酸化物、炭化物、窒化物又は炭酸塩から選ばれた少なくとも１種以上を適宜選択して用いられる。
【００４４】
なお、「遠赤外線」とは、波長が約５マイクロメートルより長い電磁波、特に、正確には約２５マイクロメートル以上の波長範囲を持つ電磁波のことを「遠赤外線」というが、本発明における「遠赤外線」とは、ここまで厳密に限定されるものではなく、この波長範囲近辺の波長を含む電磁波のことをいい、従って、「遠赤外線放射機能」とは、この波長範囲近辺の波長を含む電磁波を好適に放射する機能・性質のことをいう。
【００４５】
又、前記遠赤外線放射セラミックにおける前記金属としては、特に制限されるものではないが、例えば、Ａｌ、Ｂｅ、Ｖ、Ｆｅ、Ｙ、Ｃｏ、Ｃｕ、Ｎｉ、Ｓｉ、Ｓｎ、Ｔｉ、Ｃｒ、Ｃｅ、Ｚｒ、Ｃａ、Ｔａ又はＮｂ等から選ばれた少なくとも１種の金属或いは合金をフィルム状なしシート状、粉状又は粒状に形成したものが挙げられる。
【００４６】
一方、前記磁力線発生体は、血行の促進を促して肩こりや腰痛等の疾患を改善するともに、水路中の水のクラスターを小さくする効果を有するものであり、この磁力線発生体としては、永久磁石や電磁石等を挙げることができるのであり、又、前記活性炭（ブラックカーボン）としては、市販されている活性炭や竹炭或いは備長炭などが挙げられるのであり、この活性炭（ブラックカーボン）は、マイナスイオンや遠赤外線を照射するだけでなく、水の浄化作用が極めて高いので衛生性を向上させることができるのである。
【００４７】
本発明において、水路が形成されている水槽としては特に限定されるものではないく、例えば家庭用或いは業務用の風呂、水蒸気発生器（加湿器）或いは美顔器等が挙げられるが、特に、全身に作用させて治癒効果が著しく高くなる家庭用或いは業務用の風呂が望ましい。
【００４８】
本発明に係るマイナスイオン発生器において、水路が形成されている水槽が家庭用或いは業務用の風呂の場合には、ヒノキ科植物、ビャクシン科植物又はクスノキ科植物から選ばれた少なくとも１種で簀の子状に形成された保護体で当該マイナスイオン発生器を保護すると、ヒノキの香りやビャクシン科植物又はクスノキ科植物からの抽出物の香りによって、一層疲労回復や癒し効果が促進されるだけでなく、これらの植物からの抽出物によって水の殺菌効果や防黴効果が発現するので望ましい。
【００４９】
又、本発明においては、水路中の水を静止させることによりマイナスイオン発生体と当該水を接触させることによって、この水に多量のマイナスイオンを含ませ、この水を汲み上げて当該汲み上げた水を肩や腰或いは全身（頭部も含む。）に当てるようにしても良いのである。
【００５０】
更に、本発明においては、水路中に水流を発生させることによって肩や腰或いは全身（頭部も含む。）に水流に起因する水圧や波動水を作用させても良いのである。この場合、この水流は右回り或いは左回りのいずれでも良く、この水流によって発生した水圧や波動水を肩や腰或いは全身（頭部も含む。）に当てるようにしても良いのである。
【発明の効果】
【００５１】
本発明に係るマイナスイオン発生器においては、水路中の１ないし複数箇所にマイナスイオン発生体を設置し、当該マイナスイオン発生体と水とを接触させることによってマイナスイオンを放射させるように構成することにより、空気中の水分量の変化にかかわらず、常に一定のマイナスイオンを発生させるだけでなく、マイナスイオンの発生効率を著しく向上させることができるなどの効果を発現するのである。
【００５２】
即ち、本発明に係るマイナスイオン発生器においては、継続的にマイナスイオン発生体を水と接触させることにより、マイナスイオン発生体の近傍に常に一定の水分が存在することとなり、安定した量のマイナスイオンを発生させることができる効果を発現するのである。
【００５３】
このマイナスイオン発生効率を向上させ、安定した量のマイナスイオンを発生させることができる本発明のマイナスイオン発生器においては、新陳代謝の活性化、血液や細胞の活性・還元化、血行促進、肩こり、腰痛、冷え性の改善、疲労回復、胃腸の強化、内臓疾患、水虫、アトピー、美肌効果、自律神経や脳波の安定（リラックス効果）、免疫力の快復或いは身体の弱アルカリ化等に極めて優れた効果を発現するのである。
【００５４】
又、本発明に係るマイナスイオン発生器においては、マイナスイオン発生体に加えて、遠赤外線放射体、磁力線発生体又は活性炭（ブラックカーボン）から選ばれた少なくとも１種の波動エネルギー放射体を設けるにあたり、この機能性物質が遠赤外線放射体であると、人体に遠赤外線を照射させて当該人体の血液循環を促進したり、新陳代謝を改善したりする効果を有するものであり、又、機能性物質が磁力線発生体であると、血行の促進を促して肩こりや腰痛等の疾患を改善するともに、水路中の水のクラスターを小さくし、水の浸透力を向上させて皮膚の汚れを除去し易くする効果を有するのであり、更に、機能性物質が活性炭（ブラックカーボン）であると、この活性炭（ブラックカーボン）は、マイナスイオンや遠赤外線を照射するだけでなく、水の浄化作用が極めて高いので衛生性を向上させることができるなどの効果を奏するのである。
【００５５】
本発明に係るマイナスイオン発生器においては、環状の水路が、平面視において、三角形状、或いは四角形状、五角形状又は六角形状などの多角形状、円形状若しくは楕円形状に形成されており、しかもこの環状の水路がマイナスイオン発生体、遠赤外線放射体、磁力線発生体又は活性炭から選ばれた少なくともマイナスイオン発生体を収納するための１ないし複数の容器とパイプ或いはチューブとによって形成されていると、水の循環中にマイナスイオンが増加するのでその治癒効果が著しく向上する上、当該機能性物質に起因する諸効果が得られるのである。
【００５６】
又、本発明において、水路が形成されている水槽が家庭用或いは業務用の風呂の場合には、当該水槽に水流を発生させることによって身体に水圧や波動水（波）を作用させて皮膚刺激に起因するマッサージ効果や癒し効果を発生させたり、血行促進に伴う新陳代謝の改善を行ったり、皮膚の汚れを除去させ易くするなどの効果が得られるのである。
【発明を実施するための最良の形態】
【００５７】
以下、本発明を実施例に基づき詳細に説明するが、本発明はこれに限定されるものではない。
【実施例１】
【００５８】
図１は、本発明に係るマイナスイオン発生器１の一実施例を示す平面図であり、このマイナスイオン発生器１は、半透明のチューブ片に、表面に凹凸があり且つトルマリンの塊からなるマイナスイオン発生体４を１個を圧入、設置したものを１０片用意し、これらをそれぞれ結束バンド１１で連結して長尺状の水路２を形成し、その一端には連結部を介してポンプ５を接続し、又、その他端には吐出ノズル６を設けた構成を有し、この実施例では、この長尺状の水路２は簀の子状の基台３に略正三角形状に固定された構成を有する。  このマイナスイオン発生器１は、長尺状の水路２に１０個のマイナスイオン発生体４が設置されている家庭用風呂に沈めて好適に使用されるものである。
尚、前記ポンプ５は家庭用電源１００Ｖで電力１３ＶＡであり、又、吐出容量が１５リットル／分のものである。
【００５９】
そして、前記ポンプ５を介して水を水路２に送り込むことにより、マイナスイオン発生体４と水とを直接接触させて、マイナスイオンを発生させるものである。
【００６０】
即ち、実施例１において、前記マイナスイオン発生器１は、ポンプ５を介して水を水路２に送り込み、当該水と１０個のマイナスイオン発生体４とを直接接触させることによって、多量のマイナスイオンを含む水を生成し、入浴者が水路２の吐出ノズル６を手で持ち、多量のマイナスイオンを含む水を身体の各所に噴射させたり、浴びたりし得るのである。
【００６１】
そして、頑固な肩凝りや腰痛で悩んでいる男性５人（年齢４５〜５８才）と女性５（年齢４０〜６１才）に７日間にわたって連続的に入浴して頂くにあたり、入浴者が正三角形状の水路２の中心に位置し、前記ポンプ５によって噴出する多量のマイナスイオンを含む水を、肩や腰更に体の各所（頭部も含む。）に浴びたり、噴出させて、当該水から発生するマイナスイオンを呼吸を介して人体に取り込んだり、経皮的に吸収したりして頂いたところ、男女１０人全員が、水流圧や波動水との相乗効果によって、肩凝りや腰痛が完全に解消されたり、血行促進が実現し、疲労の回復、特に精神的疲労の回復が明確となり、しかも特に女性の場合、美肌効果や自律神経の安定（リラックス効果）が確認された上、更年期障害に起因する悩みがスッキリ解消することが確認された。
【００６２】
なお、本実施例においては、図２に示すように、このマイナスイオン発生器１の上から簀の子状のカバー７を固定して、使用者がマイナスイオン発生器１の上に座ったり、乗れたりするように構成し、使用性を高めてもよいのである。この場合、簀の子状のカバー７の隙間から多量のマイナスイオンを含む水が身体に当たり、前述の場合と同様の効果が得られるのである。
【００６３】
又、本実施例においては、遠赤外線放射体や磁力線発生体等の波動エネルギー放射体をマイナスイオン発生体４と共に水路２中に設けたチューブ２内に設置しても良いのである。
【実施例２】
【００６４】
図３は、本発明に係るマイナスイオン発生器１の他の実施例を示す斜視図であり、このマイナスイオン発生器１は、３個の水槽８を各々チューブ（水路）片２を介して接続して、当該水槽８中に水が一定量溜まるよう構成すると共に、基台３に略正六角形状の水路を形成、固定してなるものであり、使用に際しては、この水槽８中にマイナスイオン発生体４や遠赤外線放射体１０とを投入し、当該水槽８中に溜まった水と直接接触させて、多量のマイナスイオンを含む水を形成し、しかも湯温に起因する多量の遠赤外線を放射させるものである。
【００６５】
即ち、このマイナスイオン発生器１は、ポンプ５を介して水槽８中や各々チューブ（水路）片２中に水を溜め、この水槽８中でマイナスイオン発生体４や遠赤外線放射体１０に水を直接接触させることによって、多量のマイナスイオンを含む水を生成させる上、湯温に起因する多量の遠赤外線を放射させるものである。
【００６６】
又、本実施例においては、略正六角形状の水路における３箇所に、絶縁体で被覆された銅製のコイル９が巻かれており、このコイル９に通電することにより磁力線を発生させ得るように構成されている。
【００６７】
そして、頑固な肩凝りや腰痛で悩んでいる男性５人（年齢４５〜５８才）と女性５（年齢４０〜６１才）に７日間にわたって連続的に入浴して頂くにあたり、入浴者が正六角形状の水路の中心に位置し、この生成した多量のマイナスイオンを含む水を水槽８から汲み出して、肩や腰更に体の各所（頭部も含む。）に浴びたり、当てたりして、当該水から発生するマイナスイオンを呼吸を介して人体に取り込んだり、経皮的に吸収したり、入浴者に対して、遠赤外線放射体１０からの遠赤外線やコイル９に通電することによって発生した磁力線を照射して頂いたところ、実施例１と全く同様の効果が有ることが確認された。
【００６８】
この場合、遠赤外線放射体１０からの遠赤外線やコイル９に通電することによって発生した磁力線に起因する治癒効果に加えて、当該磁力線によって水のクラスターを小さくすることに伴う浸透効果が発生したものと解される。
【００６９】
又、本実施例においては、水槽８に蓋を取り付け、当該水槽８内に活性炭やゼオライト等の水の浄化剤を投入し、水路を密閉路としてポンプ５により水を循環するように構成すると、これらの浄化剤で水の浄化を図ることにったり、これによって、衛生性を向上させることができる。
【００７０】
ところで、前記実施例１及び実施例２において、基台３がヒノキ科植物、ビャクシン科植物又はクスノキ科植物から選ばれた少なくとも１種で簀の子状に形成されていると、ヒノキの香りやビャクシン科植物又はクスノキ科植物からの抽出物の香りによって、一層疲労回復や癒し効果が促進されるだけでなく、これらの植物からの抽出物によって水の殺菌効果や防黴効果が発現するのである。
【実施例３】
【００７１】
実施例１において、トルマリンに代えて、市販されている隕石の粒体（最大径が約３ｍｍ〜１ｃｍ）を用いた以外は、実施例１と同様の試験を行った。
【００７２】
即ち、トルマリンに代えて、市販されている隕石を用い、実施例１の場合と同様に、頑固な肩凝りや腰痛で悩んでいる男性５人（年齢４５〜５８才）と女性５（年齢４０〜６１才）に７日間にわたって連続的に入浴して頂くにあたり、入浴者が正三角形状の水路２の中心に位置し、前記ポンプ５によって噴出する多量のマイナスイオンを含む水を、肩や腰更に体の各所（頭部も含む。）に浴びたり、噴出させて、当該水から発生するマイナスイオンを呼吸を介して人体に取り込んだり、経皮的に吸収したりして頂いたところ、男女１０人全員が、水流圧や波動水との相乗効果によって、肩凝りや腰痛が完全に解消されたり、血行促進が実現し、疲労の回復、特に精神的疲労の回復が明確となり、しかも特に女性の場合、美肌効果や自律神経の安定（リラックス効果）が確認された上、更年期障害に起因する悩みがスッキリ解消することが確認された。
【図面の簡単な説明】
【００７３】
【図１】図１は、本発明の一実施例に係るマイナスイオン発生器を示す斜視図である。
【図２】図２は、本発明に係るマイナスイオン発生器にカバーを設けた状態を示す斜視図である。
【図３】図３は、本発明に係る他のマイナスイオン発生器を示す斜視図である。
【符号の説明】
【００７４】
１  マイナスイオン発生器
２  チューブ片
３  基台
４  マイナスイオン発生体
５  ポンプ
６  吐出ノズル
７  カバー
８  水槽
９  コイル
１０  遠赤外線放射体
【図１】
2006021032.tif 000003
【図２】
2006021032.tif 000004
【図３】
2006021032.tif 000005